(57)【要約】【課題】低コストで導入することができ、かつ、印紙にかかるコストを低減する（節税する）こと貨幣入金装置および貨幣入金回収システムを提供すること。【解決手段】貨幣入金装置１は、筐体３９，４９と、貨幣を受け入れるための貨幣受入部３１，４１と、貨幣を搬送する搬送部３４ａ，３４ｂ，４４と、貨幣を識別する識別部３３ａ，３３ｂ，４３と、貨幣を収納する収納部３６，４６と、を備えている。貨幣入金装置１は、識別部３３ａ，３３ｂ，４３による識別結果に基づき貨幣を金種別に計数して、貨幣の入金金額を算出する入金算出部１１，２１と、入金金額、または、入金算出部によって算出された入金金額に基づいて算出された回収金額を、ＱＲコード、バーコードなどのコード情報として表示する入金回収表示部５０ａと、をさらに備えている。【選択図】図１
2010204793.tif 000002
【特許請求の範囲】
【請求項１】
筐体と、
前記筐体に設けられ、貨幣を受け入れるための貨幣受入部と、
前記貨幣受入部から受け入れられた貨幣を前記筐体内で搬送する搬送部と、
前記搬送部で搬送される貨幣を識別する識別部と、
前記識別部によって識別された貨幣を収納する収納部と、
前記識別部による識別結果に基づき少なくとも前記貨幣受入部から受け入れられた貨幣の入金金額を算出する入金算出部と、
前記入金算出部によって算出された入金金額、または、前記入金算出部によって算出された入金金額に基づいて算出された回収金額を、ＱＲコード、バーコードなどのコード情報として表示する入金回収表示部と、
を備えたことを特徴とする貨幣入金装置。
【請求項２】
筐体と、前記筐体に設けられ、貨幣を受け入れるための貨幣受入部と、前記貨幣受入部から受け入れられた貨幣を前記筐体内で搬送する搬送部と、前記搬送部で搬送される貨幣を識別する識別部と、前記識別部によって識別された貨幣を収納する収納部と、前記識別部による識別結果に基づき少なくとも前記貨幣受入部から受け入れられた貨幣の入金金額を算出する入金算出部と、前記入金算出部によって算出された入金金額、または、前記入金算出部によって算出された入金金額に基づいて算出された回収金額を、ＱＲコード、バーコードなどのコード情報として表示する入金回収表示部と、を有する貨幣入金装置と、
前記入金回収表示部に表示されたコード情報を取得する携帯端末と、
を備えたことを特徴とする貨幣入金回収システム。
【請求項３】
前記携帯端末は、前記入金回収表示部に表示されたコード情報を読み取って数値データに変換する携帯データ変換部を有することを特徴とする請求項２に記載の貨幣入金回収システム。
【請求項４】
前記携帯端末は、前記数値データを表示する携帯表示部を有することを特徴とする請求項３に記載の貨幣入金回収システム。
【請求項５】
前記携帯端末が、メール送信機能を有する携帯電話からなることを特徴とする請求項２乃至４のいずれか１項に記載の貨幣入金回収システム。
【請求項６】
前記携帯端末が、近距離送信機能を有する携帯電話からなることを特徴とする請求項２乃至５のいずれか１項に記載の貨幣入金回収システム。
【請求項７】
前記貨幣入金装置の収納部は、前記筐体から取り外し自在の回収カセットからなり、
前記回収カセットは、該回収カセットを特定するための特定情報を有し、
前記携帯端末は、前記入金回収表示部に表示されたコード情報を、前記回収カセットを特定するための特定情報と関連付けることを特徴とする請求項２乃至６のいずれか１項に記載の貨幣入金回収システム。
【請求項８】
前記回収カセットの前記特定情報がコード情報であり、
前記携帯端末は、前記回収カセットのコード情報を読み取ることによって、前記入金回収表示部に表示されたコード情報を、該回収カセットを特定するための特定情報と関連付けることを特徴とする請求項７に記載の貨幣入金回収システム。
【請求項９】
集計装置を備えた貨幣入金回収システム
前記携帯端末が取得したコード情報を取得して、入金金額または回収金額を集計または管理する集計装置、をさらに備えたことを特徴とする請求項２乃至８のいずれか１項に記載の貨幣入金回収システム。
【請求項１０】
前記携帯端末は、前記入金回収表示部に表示されたコード情報を画像データで取得し、
前記集計装置は、前記携帯端末が取得した画像データを読み取って数値データに変換する集計データ変換部を有することを特徴とする請求項９に記載の貨幣入金回収システム。
【請求項１１】
前記集計装置は、前記数値データを表示する表示部を有することを特徴とする請求項９に記載の貨幣入金回収システム。
【請求項１２】
前記集計装置は、集計した入金金額または回収金額を印字する印字部を有することを特徴とする請求項９乃至１１いずれか１項に記載の貨幣入金回収システム。
【発明の詳細な説明】
【技術分野】
【０００１】
本発明は、貨幣の入金処理を行う貨幣入金装置と、このような貨幣入金装置を備えた貨幣入金回収システムに関する。
【背景技術】
【０００２】
従来から、入金額を計数する金額計数手段と、セットされた通帳に入金額を印字する通帳印字手段と、入金額の詳細を示すジャーナルを印字するジャーナル印字手段と、出金先のレジスタがテナント店のものである場合は通帳印字手段を駆動することにより精算額を通帳に印字させ、出金先のレジスタが直営店の場合はジャーナル印字手段を駆動しかつ通帳印字手段を駆動しないようにする制御手段と、を備えた貨幣入金装置が知られている（特許文献１、参照）。そして、このような貨幣入金装置を用いることによって、印紙のためのコストを低減すると共に、出納事務能率の向上を図ることができる。
【先行技術文献】
【特許文献】
【０００３】
【特許文献１】特許第３５５９６５２号
【発明の概要】
【発明が解決しようとする課題】
【０００４】
しかしながら、近年、売上金が入金される貨幣入金装置で印字される（特許第３５５９６５２号の場合では直営店の場合に印字される）紙媒体や、警備会社が貨幣入金装置から売上金を回収する際に印字される紙媒体に対して、印紙を貼らなければならない可能性も出てきた。
【０００５】
この点、金額情報の印字された紙媒体を出さないように、市場に既にある貨幣入金装置の各々に、ＩＣチップなどの電子記憶媒体に対して読み書きを行うリーダライタなどの電子記録装置を新たに搭載することも考えられる。しかしながら、貨幣入金装置が市場に何万台もあることからすると、全ての貨幣入金装置にリーダライタなどの電子記録装置を搭載することはコストが莫大にかかってしまい、現実的ではない。
【０００６】
本発明は、このような点を考慮してなされたものであり、低コストで導入することができ、かつ、印紙にかかるコストを低減する（節税する）ことができる貨幣入金装置および貨幣入金回収システムを提供することを目的とする。
【課題を解決するための手段】
【０００７】
本発明による貨幣入金装置は、
筐体と、
前記筐体に設けられ、貨幣を受け入れるための貨幣受入部と、
前記貨幣受入部から受け入れられた貨幣を前記筐体内で搬送する搬送部と、
前記搬送部で搬送される貨幣を識別する識別部と、
前記識別部によって識別された貨幣を収納する収納部と、
前記識別部による識別結果に基づき少なくとも前記貨幣受入部から受け入れられた貨幣の入金金額を算出する入金算出部と、
前記入金算出部によって算出された入金金額、または、前記入金算出部によって算出された入金金額に基づいて算出された回収金額を、ＱＲコード、バーコードなどのコード情報として表示する入金回収表示部と、
を備えている。
【０００８】
本発明による貨幣入金回収システムは、
筐体と、前記筐体に設けられ、貨幣を受け入れるための貨幣受入部と、前記貨幣受入部から受け入れられた貨幣を前記筐体内で搬送する搬送部と、前記搬送部で搬送される貨幣を識別する識別部と、前記識別部によって識別された貨幣を収納する収納部と、前記識別部による識別結果に基づき少なくとも前記貨幣受入部から受け入れられた貨幣の入金金額を算出する入金算出部と、前記入金算出部によって算出された入金金額、または、前記入金算出部によって算出された入金金額に基づいて算出された回収金額を、ＱＲコード、バーコードなどのコード情報として表示する入金回収表示部と、を有する貨幣入金装置と、
前記入金回収表示部に表示されたコード情報を取得する携帯端末と、
を備えている。
【０００９】
本発明による貨幣入金回収システムにおいて、
前記携帯端末が、前記入金回収表示部に表示されたコード情報を読み取って数値データに変換する携帯データ変換部を有してもよい。
【００１０】
本発明による貨幣入金回収システムにおいて、
前記携帯端末が、前記数値データを表示する携帯表示部を有してもよい。
【００１１】
本発明による貨幣入金回収システムにおいて、
前記携帯端末が、メール送信機能を有する携帯電話からなっていてもよい。
【００１２】
本発明による貨幣入金回収システムにおいて、
前記携帯端末が、近距離送信機能を有する携帯電話からなっていてもよい。
【００１３】
本発明による貨幣入金回収システムにおいて、
前記貨幣入金装置の収納部が、前記筐体から取り外し自在の回収カセットからなり、
前記回収カセットが、該回収カセットを特定するための特定情報を有し、
前記携帯端末が、前記入金回収表示部に表示されたコード情報を、前記回収カセットを特定するための特定情報と関連付けてもよい。
【００１４】
このような貨幣入金回収システムにおいて、
前記回収カセットの前記特定情報がコード情報であり、
前記携帯端末が、前記回収カセットのコード情報を読み取ることによって、前記入金回収表示部に表示されたコード情報を、該回収カセットを特定するための特定情報と関連付けてもよい。
【００１５】
本発明による貨幣入金回収システムにおいて、
前記携帯端末が取得したコード情報を取得して、入金金額または回収金額を集計または管理する集計装置、をさらに備えてもよい。
【００１６】
本発明による貨幣入金回収システムにおいて、
前記携帯端末が、前記入金回収表示部に表示されたコード情報を画像データで取得し、
前記集計装置が、前記携帯端末が取得した画像データを読み取って数値データに変換する集計データ変換部を有してもよい。
【００１７】
本発明による貨幣入金回収システムにおいて、
前記集計装置が、前記数値データを表示する表示部を有してもよい。
【００１８】
本発明による貨幣入金回収システムにおいて、
前記集計装置が、集計した入金金額または回収金額を印字する印字部を有してもよい。
【発明の効果】
【００１９】
本発明によれば、入金算出部によって算出された入金金額、または、入金算出部によって算出された入金金額に基づいて算出された回収金額が、入金回収表示部に、ＱＲコード、バーコードなどのコード情報として表示される。このため、印紙にかかるコストを低減する（節税する）ことができる貨幣入金装置および貨幣入金回収システムを提供することができる。しかも、このような貨幣入金装置および貨幣入金回収システムは、低コストで導入することができるためメリットが大きい。
【図面の簡単な説明】
【００２０】
【図１】本発明の実施の形態による貨幣入金装置の概略を示す構成図。
【図２】本発明の実施の形態による貨幣入金回収システムの一部の概略を示す構成図。
【図３】本発明の実施の形態による貨幣入金回収システムの別の一部の概略を示す構成図。
【図４】本発明の実施の形態による貨幣入金回収システムの携帯電話の概略を示す構成図。
【図５】本発明の実施の形態による貨幣入金回収システムの入金集計装置で管理されるリストの一例を示す図。
【図６】本発明の実施の形態による貨幣入金回収システムの回収集計装置で管理されるリストの一例を示す図。
【図７】本発明の実施の形態の変形例による入金集計装置と回収集計装置の概略を示す構成図。
【発明を実施するための形態】
【００２１】
実施の形態
以下、本発明に係る貨幣入金装置および貨幣入金回収システムの実施の形態について、図面を参照して説明する。ここで、図１乃至図７は本発明の実施の形態を示す図である。
【００２２】
図１に示すように、貨幣入金回収システムは、硬貨を処理する硬貨処理機３０と、紙幣を処理する紙幣処理機４０と、これら硬貨処理機３０および紙幣処理機４０を制御するターミナル部５０と、を有する貨幣入金装置１を備えている。なお、本願において、貨幣とは、硬貨および紙幣の両方を意味している。また、ターミナル部５０は、硬貨処理機３０または紙幣処理機４０と一体であっても別体であってもよい。
【００２３】
図１に示すように、硬貨処理機３０は、硬貨筐体３９と、硬貨筐体３９に設けられて硬貨を受け入れるための硬貨受入部３１と、硬貨受入部３１に連結されて当該硬貨受入部３１から受け入れられた硬貨を硬貨筐体３９内で搬送する硬貨入金搬送部３４ａと、硬貨入金搬送部３４ａに設けられて当該硬貨入金搬送部３４ａで搬送される硬貨を識別する硬貨入金識別部３３ａと、硬貨入金識別部３３ａによって識別された硬貨を金種別に一時保留する硬貨一時保留部３５と、硬貨一時保留部３５の下方に設けられて金種別に硬貨を収納する硬貨金種別収納部（硬貨回収カセット）３６と、を備えている。
【００２４】
また、図１に示すように、硬貨入金搬送部３４ａの端部には、入金時に識別異常や搬送異常が発生した場合に搬送される硬貨入金リジェクト部３２が設けられている。また、硬貨金種別収納部３６の下方には、出金時、硬貨金種別収納部３６から出金された硬貨と、入金時、硬貨金種別収納部３６に収納されずに硬貨一時保留部３５から直接受け取った硬貨を搬送する硬貨出金搬送部３４ｂが設けられている。そして、この硬貨出金搬送部３４ｂは、出金時に硬貨金種別収納部３６から出金された硬貨を硬貨出金箱３７に搬送し、入金時に硬貨金種別収納部３６に収納されず硬貨一時保留部３５から直接受け取った硬貨を硬貨入金返却箱３８に搬送する。なお、硬貨出金箱３７と硬貨入金返却箱３８は出入自在になっている。なお、硬貨出金搬送部３４ｂには、出金された硬貨を識別する硬貨出金識別部３３ｂが設けられている。
【００２５】
また、図１に示すように、硬貨筐体３９内には、硬貨入金識別部３３ａによる識別結果に基づいて硬貨金種別収納部３６内に入金された硬貨の入金金額を算出する入金硬貨算出部１１と、入金硬貨算出部１１で算出された入金金額に基づいて回収金額を算出する回収硬貨算出部１３が設けられている。
【００２６】
また、図１に示すように、紙幣処理機４０は、紙幣筐体４９と、紙幣筐体４９に設けられて紙幣を受け入れるための紙幣受入部４１と、紙幣受入部４１に連結されて当該紙幣受入部４１から受け入れられた紙幣を紙幣筐体４９内で搬送する紙幣搬送部４４と、紙幣搬送部４４に設けられて当該紙幣搬送部４４で搬送される紙幣を識別する紙幣識別部４３と、紙幣搬送部４４の端部に連結されて紙幣識別部４３による識別結果に基づいて金種別に紙幣を収納する紙幣金種別収納部（紙幣回収カセット）４６と、を備えている。
【００２７】
また、図１に示すように、紙幣搬送部４４の端部には、入金時に識別異常や搬送異常が発生した紙幣と、出金時に紙幣金種別収納部４６から出金された紙幣の両方が搬送される紙幣投出口４２が設けられている。また、紙幣搬送部４４の端部には、出金時に識別異常や搬送異常が発生した紙幣が搬送される紙幣リジェクト出金箱４７が設けられている。なお、紙幣リジェクト出金箱４７は通常施錠されているが、開錠されれば出入自在になっている。
【００２８】
また、図１に示すように、紙幣筐体４９内には、紙幣識別部４３による識別結果に基づいて紙幣金種別収納部４６内に入金された紙幣の入金金額を算出する入金紙幣算出部２１と、入金紙幣算出部２１で算出された入金金額に基づいて回収金額を算出する回収紙幣算出部２３が設けられている。
【００２９】
また、図１に示すように、ターミナル部５０は、入金硬貨算出部１１および入金紙幣算出部２１によって算出された入金金額を含む個別入金情報（入金した日付、入金した時間、入金金額、金種別枚数など）と、回収硬貨算出部１３および回収紙幣算出部２３によって算出された回収金額を含む個別回収情報（ユーザー番号（ユーザーＮｏ．）、店番号（店Ｎｏ．）、回収した日付、回収金額、金種別枚数など）を、ＱＲコード、バーコードなどのコード情報として表示する表示画面（入金回収表示部）５０ａを有している。
【００３０】
また、図２および図３に示すように、貨幣入金回収システムは、ターミナル部５０の表示画面５０ａに表示されたＱＲコード、バーコードなどのコード情報を取得する携帯端末６０ａ，６０ｂも備えている。図４（ａ）（ｂ）に示すように、本実施の形態による携帯端末６０ａ，６０ｂは、表示画面５０ａに表示されたコード情報を読み取って数値データに変換する携帯データ変換部６５ａ，６５ｂと、当該数値データを表示する携帯表示部６１ａ，６１ｂと、を有する携帯電話６０ａ，６０ｂからなっている。そして、この携帯電話６０ａ，６０ｂは、メール送信機能を果たすメール送信部６２ａ，６２ｂと、赤外線通信、Bluetoothなどの近距離通信機能を果たす近距離送信部６３ａ，６３ｂとを有している。また、携帯データ変換部６５ａ，６５ｂには、携帯表示部６１ａ，６１ｂ、メール送信部６２ａ，６２ｂおよび近距離送信部６３ａ，６３ｂの各々が接続されている。なお、本実施の形態では、以下、携帯端末６０ａ，６０ｂとして携帯電話６０ａ，６０ｂを用いて説明するが、これに限られることはない。
【００３１】
また、硬貨金種別収納部３６は、硬貨筐体３９から取り外し自在の硬貨回収カセット３６からなっている。また、同様に、紙幣金種別収納部４６は、紙幣筐体４９から取り外し自在の紙幣回収カセット４６からなっている。なお、硬貨回収カセット３６は、当該硬貨回収カセット３６を特定するための特定情報（以下、硬貨回収カセット情報と言う）を有し、同様に、紙幣回収カセット４６は、当該紙幣回収カセット４６を特定するための特定情報（以下、紙幣回収カセット情報と言う）を有している。より具体的には、硬貨回収カセット３６には、硬貨回収カセット情報に対応するＱＲコード、バーコードなどのコード情報が印字されたシール３６ａが貼り付けられており、同様に、紙幣回収カセット４６には、紙幣回収カセット情報に対応するＱＲコード、バーコードなどのコード情報が印字されたシール４６ａが貼り付けられている（図２および図３参照）。本実施の形態では、以下、硬貨回収カセット情報に対応するコード情報としてのバーコードがシール３６ａに印字され、紙幣回収カセット情報に対応するコード情報としてのバーコードがシール４６ａに印字された態様を用いて説明するが、これに限られることはない。
【００３２】
なお、携帯電話６０ｂの携帯データ変換部６５ｂは、図４（ｂ）に示すように、表示画面５０ａに表示されたコード情報を、硬貨回収カセット情報および紙幣回収カセット情報と関連付けるリンク部６６ｂを有している。
【００３３】
また、貨幣入金回収システムは、携帯電話６０ａが取得した個別入金情報を取得するとともに管理する入金集計装置７０（図２参照）と、携帯電話６０ｂが取得した個別回収情報を取得するとともに集計する回収集計装置７５（図３参照）とを備えている。なお、入金集計装置７０は、入金した日付、入金した時間、入金金額、金種別枚数、レジ番号（レジＮｏ．）、担当者コードなどをリスト化して管理するように構成されている（図５参照）。また、回収集計装置７５は、ユーザー番号（ユーザーＮｏ．）、店番号（店Ｎｏ．）、回収した日付、回収金額、金種別枚数などをリスト化して管理するように構成されている（図６参照）。
【００３４】
また、図２および図３に示すように、入金集計装置７０と回収集計装置７５の各々は、近距離送信部６３ａ，６３ｂから送信を受信する近距離受信部７２，７７と、集計した入金金額または回収金額を印字する印字部７１，７６を有している。
【００３５】
次に、このような構成からなる本実施の形態の作用効果について述べる。
【００３６】
（入金処理）
最初に、本実施の形態による貨幣入金回収システムで、入金処理を行う際の作用効果について説明する。
【００３７】
まず、硬貨処理機３０の硬貨受入部３１に入金される硬貨が載置され、紙幣処理機４０の紙幣受入部４１に入金される紙幣が載置される（図１参照）。
【００３８】
次に、硬貨受入部３１から受け入れられた硬貨は、硬貨入金搬送部３４ａによって搬送され、硬貨入金識別部３３ａによる識別結果に基づいて硬貨一時保留部３５で金種別に一時保留される（図１参照）。そして、入金指示部（図示せず）から入金する旨の指示を受けることによって、当該硬貨は、硬貨金種別収納部（硬貨回収カセット）３６に金種別に収納される。他方、紙幣受入部４１から受け入れられた紙幣は、紙幣搬送部４４によって搬送され、紙幣識別部４３による識別結果に基づいて金種別に紙幣金種別収納部（紙幣回収カセット）４６内に収納される。
【００３９】
なお、硬貨入金搬送部３４ａによって搬送される硬貨に識別異常や搬送異常が発生した場合には、当該硬貨は硬貨入金リジェクト部３２に搬送される。他方、紙幣搬送部４４によって搬送される紙幣に識別異常や搬送異常が発生した場合には、当該紙幣は紙幣投出口４２に搬送される。
【００４０】
上述のように硬貨処理機３０によって硬貨の入金処理が行われている間、入金硬貨算出部１１によって、硬貨入金識別部３３ａによる識別結果に基づき硬貨が金種別に計数され、硬貨受入部３１から硬貨金種別収納部３６に受け入れられた硬貨の入金金額が算出される（図１参照）。他方、紙幣処理機４０によって紙幣の入金処理が行われている間、入金紙幣算出部２１によって、紙幣識別部４３による識別結果に基づき紙幣が金種別に計数され、紙幣受入部４１から紙幣金種別収納部４６に受け入れられた紙幣の入金金額が算出される（図１参照）。
【００４１】
なお、硬貨受入部３１から受け入れられた硬貨および紙幣受入部４１から受け入れられた紙幣のうちの一部を硬貨金種別収納部３６および紙幣金種別収納部４６内に入金する場合（例えば、実際の売り上げが￥３４５，４９６の場合において、紙幣受入部４１に￥３５０，０００が受け入れられた場合）には、残部（上述の例でいうと、￥４，５０４）が出金されることとなる。
【００４２】
この場合には、硬貨金種別収納部３６から硬貨出金搬送部３４ｂに硬貨が出金され、他方、紙幣金種別収納部４６から紙幣搬送部４４に紙幣が出金される（図１参照）。そして、硬貨出金搬送部３４ｂに出金された硬貨は、硬貨出金識別部３３ｂによって識別された後で、硬貨出金箱３７に搬送され、他方、紙幣搬送部４４に出金された紙幣は、紙幣識別部４３によって識別された後で、紙幣投出口４２に搬送される。
【００４３】
なお、このように硬貨が出金されている間、入金硬貨算出部１１は硬貨出金識別部３３ｂからの情報を受ける。そして、入金硬貨算出部１１は、硬貨入金識別部で識別された硬貨の入金金額から硬貨出金識別部３３ｂで識別された硬貨の出金金額を引くことによって、硬貨金種別収納部３６に入金された金額を算出する。同様に、紙幣が出金されている間、入金紙幣算出部２１は紙幣識別部４３からの情報を受ける。そして、入金紙幣算出部２１は、紙幣識別部４３で識別された紙幣の入金金額から紙幣識別部４３で識別された紙幣の出金金額を引くことによって、紙幣金種別収納部４６に入金された金額を算出する。
【００４４】
上述のように、入金硬貨算出部１１によって硬貨金種別収納部３６内に入金された硬貨の金額が算出され、入金紙幣算出部２１によって紙幣金種別収納部４６内に入金された紙幣の金額が算出されると、ターミナル部５０の表示画面（入金回収表示部）５０ａによって、算出された硬貨の入金金額と紙幣の入金金額が、数値表示されるとともに、ＱＲコード、バーコードなどのコード情報としても表示される（図２参照）。なお、図２ではＱＲコードで表示される態様を示しており、本実施の形態では、以下、コード情報としてＱＲコードを用いた態様で説明するが、これに限られることはない。
【００４５】
次に、入金処理を行った入金者の所持する携帯電話６０ａによって、ターミナル部５０の表示画面５０ａに表示されたＱＲコードが読み取られる（図２参照）。そして、この携帯電話６０ａの携帯データ変換部６５ａによって、ＱＲコードが数値データに変換されるとともに、当該数値データが携帯表示部６１ａに表示される（図４（ａ）参照）。このように、本実施の形態では、携帯表示部６１ａに数値データが表示されるので、入金者は、表示画面５０ａに表示された入金金額の数値表示と、携帯表示部６１ａに表示された数値データとが一致しているかを確認することができる。なお、この数値データには、個別入金情報として、入金した日付、入金した時間、入金金額、金種別枚数などが含まれている。
【００４６】
次に、個別入金情報を含む数値データが、入金者が働いている店舗に設置された入金集計装置７０に、メール送信部６２ａによってメールで送信されたり、または、近距離送信部６３ａによって赤外線通信、Bluetoothなどで送信されたりする（図２参照）。
【００４７】
次に、携帯電話６０ａ，６０ｂから送信された個別入金情報が、入金集計装置７０によって受信され集計される。このことによって、入金集計装置７０により、入金した日付、入金した時間、入金金額、金種別枚数、レジ番号（レジＮｏ．）、担当者コードなどがリスト化されて管理される（図５参照）。なお、印字部７１を用いることによって、このようにリスト化された情報を紙媒体に印字することができる。
【００４８】
上述のように、本実施の形態によれば、コード情報としてのＱＲコードが表示画面５０ａに表示され、携帯電話６０ａで当該ＱＲコードを読み取るとともに入金集計装置７０に送信することができる。
【００４９】
このため、個別入金情報を紙媒体に印字する必要がなく印紙にかかるコストを低減する（節税する）ことができる。
【００５０】
すなわち、近年、売上金が入金される貨幣入金装置で印字される紙媒体に印紙を貼らなければならない可能性も出てきたが、本実施の形態によれば個別入金情報を紙媒体に印字する必要がないため、印紙にかかるコストを確実に低減する（節税する）ことができる。
【００５１】
また、本実施の形態によれば、ハードを変更することなくソフトを変更するだけで導入することができるので、低コストで導入することができる。
【００５２】
すなわち、金額情報の印字された紙媒体を出さないように、市場に既にある貨幣入金装置１の各々に、ＩＣチップなどの電子記憶媒体に対して読み書きを行うリーダライタなどの電子記録装置を新たに搭載するというようなハードを変更することも考えられるが、このような手法を用いると、全ての貨幣入金装置１にリーダライタなどの電子記録装置を搭載することはコストが莫大にかかってしまう。これに対して、本実施の形態によれば、ハードを変更することなくソフトを変更するだけで導入することができるので、格段に低コストで導入することができる。
【００５３】
（回収処理）
次に、本実施の形態による貨幣入金回収システムで、回収処理を行う際の作用効果について説明する。
【００５４】
まず、警送会社の回収者によって、貨幣入金装置１が回収モードに切り替えられる。
【００５５】
このとき、回収硬貨算出部１３によって、入金硬貨算出部１１で算出された入金金額が加算されることによって（入金金額に基づいて）硬貨の回収金額が算出される（図１参照）。他方、回収紙幣算出部２３によって、入金紙幣算出部２１で算出された入金金額が加算されることによって（入金金額に基づいて）紙幣の回収金額が算出される（図１参照）。
【００５６】
そして、ターミナル部５０の表示画面５０ａに、硬貨の回収金額と紙幣の回収金額とを合算した貨幣の回収金額が数値表示されるとともに、ＱＲコード（コード情報）としても表示される（図３参照）。
【００５７】
次に、警送会社の回収者の所持する携帯電話（携帯端末）６０ｂによって、ターミナル部５０の表示画面５０ａに表示されたＱＲコードが読み取られる（図３参照）。そして、この携帯電話６０ｂの携帯データ変換部６５ｂによって、ＱＲコードが数値データに変換されるとともに、当該数値データが携帯表示部６１ｂに表示される（図４（ｂ）参照）。このように、本実施の形態では、携帯表示部６１ｂに数値データが表示されるので、回収者は、表示画面５０ａに表示された回収金額の数値表示と、携帯表示部６１ｂに表示された数値データとが一致しているかを確認することができる。なお、この数値データには、個別回収情報として、ユーザー番号（ユーザーＮｏ．）、店番号（店Ｎｏ．）、回収した日付、回収金額、金種別枚数などが含まれている。
【００５８】
次に、回収者の所持する携帯電話６０ｂによって、硬貨回収カセット３６に貼り付けられたシール３６ａのバーコードと、紙幣回収カセット４６に貼り付けられたシール４６ａのバーコードとが読み取られる（図３参照）。そして、携帯電話６０ｂのリンク部６６ｂによって、個別回収情報を示す数値データと、硬貨回収カセット情報および紙幣回収カセット情報とが関連付けられる（図４（ｂ）参照）。
【００５９】
次に、個別回収情報を含む数値データが、警送会社に設置された回収集計装置７５に、メール送信部６２ｂによってメールで送信されたり、または、近距離送信部６３ｂによって赤外線通信、Bluetoothなどで送信されたりする（図３参照）。
【００６０】
次に、携帯電話６０ｂから送信された個別回収情報が、回収集計装置７５によって受信され集計される。このことによって、回収集計装置７５により、ユーザー番号（ユーザーＮｏ．）、店番号（店Ｎｏ．）、硬貨回収カセット情報、紙幣回収カセット情報、回収した日付、回収金額、金種別枚数などがリスト化されて管理される（図６参照）。なお、印字部７６を用いることによって、このようにリスト化された情報を紙媒体に印字することができる。
【００６１】
ところで、回収者によって回収された硬貨回収カセット３６内の硬貨と紙幣回収カセット４６内の紙幣は、警送センター内に設置された貨幣入金装置（図示せず）に入金されて再鑑される。そして、当該貨幣入金装置に入金されて実際に計数された貨幣の金額と、回収集計装置７５にリスト化されて記憶されている回収金額とが一致しているかが確認されることとなる。
【００６２】
上述のように、本実施の形態によれば、コード情報としてのＱＲコードが表示画面５０ａに表示され、携帯電話６０ｂで当該ＱＲコードを読み取るとともに回収集計装置７５に送信することができる。
【００６３】
このため、個別回収情報を紙媒体に印字する必要がなく印紙にかかるコストを低減する（節税する）ことができる。
【００６４】
すなわち、貨幣を回収する際に貨幣入金装置で印字される紙媒体に印紙を貼らなければならない可能性も出てきたが、本実施の形態によれば個別回収情報を紙媒体に印字する必要がないため、印紙にかかるコストを確実に低減する（節税する）ことができる。
【００６５】
また、本実施の形態によれば、上述のようにハードを変更することなくソフトを変更するだけで導入することができるので、低コストで導入することができる。
【００６６】
また、本実施の形態によれば、個別回収情報を示す数値データ（ユーザー番号（ユーザーＮｏ．）、店番号（店Ｎｏ．）、回収した日付、回収金額、金種別枚数）と、硬貨回収カセット情報および紙幣回収カセット情報とが関連付けられる。このため、回収された硬貨回収カセット３６および紙幣回収カセット４６内に収容されている貨幣と、回収集計装置７５内に記憶された個別回収情報とを容易に照らし合わせることができる。
【００６７】
すなわち、本実施の形態によれば、回収された硬貨回収カセット３６および紙幣回収カセット４６に貼り付けられたシール３６ａ，４６ａのバーコードを読み取ることによって、回収集計装置７５で記憶されている硬貨回収カセット情報および紙幣回収カセット情報を容易に読み出すことができる。このため、警送センター内の貨幣入金装置（図示せず）に入金されて実際に計数された貨幣（硬貨回収カセット３６および紙幣回収カセット４６内に収容されていた貨幣）の金額と、回収集計装置７５内に記憶されている回収金額とを容易に照らし合わせることができる。
【００６８】
変形例
上記では、携帯端末６０ａ，６０ｂが、表示画面５０ａに表示されたコード情報を読み取って数値データに変換する携帯データ変換部６５ａ，６５ｂを有する態様を用いて説明した。しかしながら、これに限られることはなく、例えば、携帯電話６０ａ，６０ｂが表示画面５０ａに表示されたコード情報を画像データで取得し、図７（ａ）に示すように、入金集計装置７０が携帯電話６０ａの取得した画像データを受信するとともに読み取って数値データに変換する入金集計データ変換部７３を有し、図７（ｂ）に示すように、回収集計装置７８が携帯電話６０ｂの取得した画像データを受信するとともに読み取って数値データに変換する回収集計データ変換部７８を有する態様を用いてもよい。
【００６９】
この場合には、入金集計装置７０が、数値データを表示する表示画面（入金表示部）７０ａを有していることが好ましい（図７（ａ）参照）。このような表示画面７０ａによって、画像データを入金集計装置７０に送信した際に画像データから変換された数値データを表示することができ、実際の売り上げと入金された金額とが合致しているかを容易に確認することができるためである。
【００７０】
また、同様に、回収集計装置７５が、数値データを表示する表示画面（回収表示部）７５ａを有していることが好ましい（図７（ｂ）参照）。このような表示画面７５ａによって、画像データを回収集計装置７５に送信した際に画像データから変換された数値データが表示されることとなり、警送センター内に設置された貨幣入金装置（図示せず）に入金されて実際に計数された貨幣の金額と、表示画面７５ａに表示された数値データとが合致しているかを容易に確認することができるためである。
【００７１】
ところで、上記では、貨幣入金装置１が入金処理のみを行う態様（受け入れられた貨幣の一部を入金するときのみに出金処理を行う態様）を用いて説明した。しかしながら、これに限られることはなく、貨幣入金装置１は、出金処理を単独で（入金処理を伴わずに単独で）行うようにしてもよい。この場合には、回収硬貨算出部１３は、入金された硬貨の合計金額から出金された硬貨の合計金額を引くことによって硬貨の回収金額を算出し、回収紙幣算出部２３は、入金された紙幣の合計金額から出金された紙幣の合計金額を引くことによって紙幣の回収金額を算出することとなる。
【符号の説明】
【００７２】
１        貨幣入金装置
１１      入金硬貨算出部（入金算出部）
１３      回収硬貨算出部（回収算出部）
２１      入金紙幣算出部（入金算出部）
２３      回収紙幣算出部（回収算出部）
３０      硬貨処理機
３１      硬貨受入部
３２      硬貨入金リジェクト部
３３ａ    硬貨入金識別部
３３ｂ    硬貨出金識別部
３４ａ    硬貨入金搬送部
３４ｂ    硬貨出金搬送部
３６      硬貨金種別収納部（硬貨回収カセット）
３９      硬貨筐体
４０      紙幣処理機
４１      紙幣受入部
４３      紙幣識別部
４４      紙幣搬送部
４６      紙幣金種別収納部（紙幣回収カセット）
４９      紙幣筐体
５０      ターミナル部
５０ａ    表示画面（入金回収表示部）
６０ａ，６０ｂ  携帯端末（携帯電話）
６１ａ，６１ｂ  携帯表示部
６５ａ，６５ｂ  携帯データ変換部
６６ｂ    リンク部
７０      入金集計装置（集計装置）
７０ａ    表示画面（入金表示部）
７１      印字部
７３      入金集計データ変換部
７５      回収集計装置（集計装置）
７５ａ    表示画面（回収表示部）
７８      回収集計データ変換部
７６      印字部
【図１】
2010204793.tif 000003
【図２】
2010204793.tif 000004
【図３】
2010204793.tif 000005
【図４】
2010204793.tif 000006
【図５】
2010204793.tif 000007
【図６】
2010204793.tif 000008
【図７】
2010204793.tif 000009